(57)【特許請求の範囲】
【請求項１】
被撮影画像の撮影時に当該被撮影画像の画像データと共に記録される画像情報を文字情報に変換する変換部と、
前記被撮影画像の題名を含む入力情報を入力する入力部と、
前記変換部によって変換された前記文字情報および、前記入力部によって入力された前記入力情報を、出品または展示する前記被撮影画像に貼付するラベル用として、テープ状媒体に印刷するための印刷画像を生成する印刷画像生成部と、
前記印刷画像の印刷指示を行う印刷指示部と、を備え、
前記印刷画像生成部は、
前記文字情報および前記入力情報と共に、前記被撮影画像の画像データを、前記テープ状媒体の幅に合わせて縮小した縮小画像を、前記テープ状媒体に印刷するための印刷画像を生成し、
前記入力情報を前記文字情報より大きなフォントサイズとし、且つ前記縮小画像の印刷領域、前記入力情報の印刷領域、前記文字情報の印刷領域の順に横並びに配置した前記印刷画像を生成することを特徴とする印刷画像生成装置。
【請求項２】
前記印刷画像をプレビュー表示するプレビュー表示部をさらに備え、
前記プレビュー表示部は、前記テープ状媒体に印刷された印刷画像の印刷イメージと、当該印刷イメージのテープ長方向の長さを示す目盛りと、を表示することを特徴とする請求項１に記載の印刷画像生成装置。
【請求項３】
前記入力部は、前記入力情報として、前記被撮影画像の題名の他、撮影者およびレンズ名を入力することを特徴とする請求項１または２に記載の印刷画像生成装置。
【請求項４】
前記画像情報は、アーティスト、撮影著作権者、編集著作権者のいずれかを含み、
前記入力部は、前記画像情報に、前記アーティスト、前記撮影著作権者、前記編集著作権者のいずれかが含まれる場合、前記撮影者の入力に代えて、前記画像情報に含まれる前記アーティスト、前記撮影著作権者、前記編集著作権者のいずれかを選択できることを特徴とする請求項３に記載の印刷画像生成装置。
【請求項５】
前記画像情報は、機材に関する項目および露出に関する項目を含む複数の項目を含み、
前記複数の項目の中からいずれかの項目を選択する項目選択部をさらに備え、
前記変換部は、前記項目選択部によって選択された項目を、前記文字情報に変換することを特徴とする請求項１ないし４のいずれか１項に記載の印刷画像生成装置。
【請求項６】
前記画像情報は、前記被撮影画像を撮影した画像入力機器のモデル名を含み、
前記印刷画像生成部は、前記文字情報の中の前記画像入力機器のモデル名にメーカ名が含まれる場合、当該メーカ名を省略して前記印刷画像を生成することを特徴とする請求項１ないし５のいずれか１項に記載の印刷画像生成装置。
【請求項７】
前記画像情報は、レンズのモデル名を含み、
前記印刷画像生成部は、前記文字情報の中の前記レンズのモデル名にメーカ名が含まれる場合、当該メーカ名を省略して前記印刷画像を生成することを特徴とする請求項１ないし６のいずれか１項に記載の印刷画像生成装置。
【請求項８】
前記画像情報は、Ｆナンバーまたはレンズ焦点距離を含み、
前記変換部は、前記文字情報への変換時に、分数表記の前記Ｆナンバーまたは前記レンズ焦点距離を小数点表記に変換することを特徴とする請求項１ないし７のいずれか１項に記載の印刷画像生成装置。
【請求項９】
前記画像情報は、露出時間を含み、
前記変換部は、前記文字情報への変換時に、前記露出時間が１秒以上の場合は小数点表記に変換し、前記露出時間が１秒未満の場合は約分した真分数表記に変換することを特徴とする請求項１ないし８のいずれか１項に記載の印刷画像生成装置。
【請求項１０】
前記画像情報は、露光補正値を含み、
前記変換部は、前記文字情報への変換時に、前記露光補正値の絶対値が１以上の場合は帯分数表記に変換し、前記露光補正値の絶対値が１未満の場合は約分した真分数表記に変換することを特徴とする請求項１ないし９のいずれか１項に記載の印刷画像生成装置。
【請求項１１】
被撮影画像の撮影時に当該被撮影画像の画像データと共に記録される画像情報を文字情報に変換する変換部と、
前記被撮影画像の題名を含む入力情報を入力する入力部と、
前記変換部によって変換された前記文字情報および、前記入力部によって入力された前記入力情報を、ラベル用の印刷媒体に印刷するための印刷画像を生成する印刷画像生成部と、
前記印刷画像の印刷指示を行う印刷指示部と、を備え、
前記画像情報は、前記被撮影画像を撮影した画像入力機器のモデル名を含み、
前記印刷画像生成部は、前記文字情報の中の前記画像入力機器のモデル名にメーカ名が含まれる場合、当該メーカ名を省略して前記印刷画像を生成することを特徴とする印刷画像生成装置。
【請求項１２】
被撮影画像の撮影時に当該被撮影画像の画像データと共に記録される画像情報を文字情報に変換する変換部と、
前記被撮影画像の題名を含む入力情報を入力する入力部と、
前記変換部によって変換された前記文字情報および、前記入力部によって入力された前記入力情報を、ラベル用の印刷媒体に印刷するための印刷画像を生成する印刷画像生成部と、
前記印刷画像の印刷指示を行う印刷指示部と、を備え、
前記画像情報は、レンズのモデル名を含み、
前記印刷画像生成部は、前記文字情報の中の前記レンズのモデル名にメーカ名が含まれる場合、当該メーカ名を省略して前記印刷画像を生成することを特徴とする印刷画像生成装置。
【請求項１３】
印刷画像生成装置およびプリンタを備えた印刷システムであって、
前記印刷画像生成装置は、
被撮影画像の撮影時に当該被撮影画像の画像データと共に記録される画像情報を文字情報に変換する変換部と、
前記被撮影画像の題名を含む入力情報を入力する入力部と、
前記変換部によって変換された前記文字情報と、前記入力部によって入力された前記入力情報と、前記被撮影画像の画像データを、テープ状媒体の幅に合わせて縮小した縮小画像と、を、前記入力情報を前記文字情報より大きなフォントサイズとし、且つ前記縮小画像の印刷領域、前記入力情報の印刷領域、前記文字情報の印刷領域の順に横並びに配置し、出品または展示する前記被撮影画像に貼付するラベル用として、前記テープ状媒体に印刷するための印刷画像を生成する印刷画像生成部と、
前記プリンタに対し、前記印刷画像の印刷指示を行う印刷指示部と、を有し、
前記プリンタは、
前記印刷指示部による印刷指示にしたがって、前記印刷画像を前記テープ状媒体に印刷する印刷部を有することを特徴とする印刷システム。
【請求項１４】
被撮影画像の撮影時に当該被撮影画像の画像データと共に記録される画像情報を文字情報に変換する変換ステップと、
前記被撮影画像の題名を含む入力情報を入力する入力ステップと、
前記変換ステップにて変換された前記文字情報と、前記入力ステップにて入力された前記入力情報と、前記被撮影画像の画像データを、テープ状媒体の幅に合わせて縮小した縮小画像と、を、前記入力情報を前記文字情報より大きなフォントサイズとし、且つ前記縮小画像の印刷領域、前記入力情報の印刷領域、前記文字情報の印刷領域の順に横並びに配置し、出品または展示する前記被撮影画像に貼付するラベル用として、前記テープ状媒体に印刷するための印刷画像を生成する印刷画像生成ステップと、を実行することを特徴とする印刷画像生成方法。
【請求項１５】
コンピューターに、請求項１４に記載の印刷画像生成方法における各ステップを実行させるためのプログラム。
【発明の詳細な説明】
【技術分野】
【０００１】
本発明は、被撮影画像（デジタル写真）のメタデータを印刷するための印刷画像生成装置、印刷システム、印刷画像生成方法およびプログラムに関する。
【背景技術】
【０００２】
デジタルカメラ等で撮影した被撮影画像を作品としてコンテストに出品したり展覧会で展示したりする場合、被撮影画像の題名、撮影者名、機材情報、露出情報など各種情報を作品画像に付加してコンテストや展示会の主催者に提示する必要がある。従来は、これらの情報を手書きするユーザーが多かった。ところが、情報量が多く、誤記の恐れもあるため、近年は、撮影時に被撮影画像の画像データと共に記録される画像情報（Ｅｘｉｆ情報）を用いて、各種情報を印刷する技術が提案されている。
【０００３】
例えば、被撮影画像の画像データと、そのメタデータである画像情報とを、重なり合わないように隣り合って設けられた領域に印刷する方法が提案されている（例えば、特許文献１）。また画像データに画像情報を重畳して印刷する方法（例えば、特許文献２）や、画像データを印刷した印刷用紙の裏面にインデックス画像を印刷する方法（例えば、特許文献３）も提案されている。
【先行技術文献】
【特許文献】
【０００４】
【特許文献１】特許第４５６０４３０号公報
【特許文献２】特開２００４−２２２１０８号公報
【特許文献３】特開２００７−１５８５３６号公報
【発明の概要】
【発明が解決しようとする課題】
【０００５】
ところが、特許文献１の方法では、画像データに隣接して画像情報を印刷するため、用紙を無駄にしてしまう問題がある。特に、出品・展覧用の印刷用紙は高価な用紙を用いることが多いため、できるだけ無駄を少なくすることが好ましい。また、この手の印刷用紙は厚手のものが多いため、切り取って作品の裏面に貼り付けようとすると部分的に厚くなってしまい額装が困難になる。つまり、枠の種類（しゃくり寸法）によっては、貼り付け部分が額縁枠のしゃくりに収まらず、泥足加工をして厚み調整を行うなどの面倒な加工が必要となる。
【０００６】
また、特許文献２の方法は、画像データに画像情報を重畳して印刷するため、出品・展覧用の作品には適用できない。さらに、特許文献３の方法は、画像データの裏面に印刷するため、印刷時の用紙搬送による搬送傷によって作品を損ねる恐れがある。また、印刷面が柔らかい用紙（例えば、漆喰などが塗布された用紙）の場合は裏面印刷ができない（例えば、搬送によって漆喰が剥離する）といった問題もある。
【０００７】
本発明は、上記の問題点に鑑み、作品として出品・展示する被撮影画像に付加すべき情報を、容易且つ安価に、また作品を損ねることなく印刷可能な印刷画像生成装置、印刷システム、印刷画像生成方法およびプログラムを提供することを目的とする。
【課題を解決するための手段】
【０００８】
本発明の印刷画像生成装置は、被撮影画像の撮影時に当該被撮影画像の画像データと共に記録される画像情報を文字情報に変換する変換部と、被撮影画像の題名を含む入力情報を入力する入力部と、変換部によって変換された文字情報および、入力部によって入力された入力情報を、ラベル用の印刷媒体に印刷するための印刷画像を生成する印刷画像生成部と、印刷画像の印刷指示を行う印刷指示部と、を備えることを特徴とする。
【０００９】
本発明の印刷画像生成方法は、被撮影画像の撮影時に当該被撮影画像の画像データと共に記録される画像情報を文字情報に変換する変換ステップと、被撮影画像の題名を含む入力情報を入力する入力ステップと、変換ステップにて変換された文字情報および、入力ステップにて入力された入力情報を、ラベル用の印刷媒体に印刷するための印刷画像を生成する印刷画像生成ステップと、を実行することを特徴とする。
【００１０】
本発明の構成によれば、画像情報を変換した文字情報および、被撮影画像の題名を含む入力情報を、ラベル用の印刷媒体に印刷するための印刷画像を生成するため、出品・展示する作品に付加すべき情報を容易且つ安価に印刷することができる。つまり、作品に付加すべき情報を、手書きの手間なく、安価なラベル用紙に印刷することができる。また、印刷画像は、作品とは別の印刷媒体に印刷されるため、作品を損ねる心配もない。さらに、入力情報として出品・展示する作品に不可欠な「被撮影画像の題名」を入力できるため、画像情報に「画像タイトル（Ｅｘｉｆで規定されたタグ名）」が含まれない場合でも、作品貼付用として不足のないラベルを印刷することができる。また、ラベル用の印刷媒体は、出品・展示する作品を印刷するための印刷用紙より薄手であるため、作品の裏面に貼り付けて額装する際に、枠の種類を選ばないといった利点がある。
【００１１】
上記の印刷画像生成装置において、印刷画像生成部は、文字情報および入力情報と共に、被撮影画像の画像データを縮小した縮小画像を、印刷媒体に印刷するための印刷画像を生成することを特徴とする。
【００１２】
本発明の構成によれば、ラベルに被撮影画像の縮小画像が印刷されるため、被撮影画像（作品）との対応づけを容易に行うことができる。これにより、複数の作品について複数枚のラベルを同時に作成し、その後作品への貼付作業を行うなど、効率的な作業が可能となる。
【００１３】
上記の印刷画像生成装置において、印刷画像生成部は、入力情報を文字情報より大きなフォントサイズとし、且つ縮小画像の印刷領域、入力情報の印刷領域、文字情報の印刷領域の順に横並びに配置した印刷画像を生成することを特徴とする。
【００１４】
本発明の構成によれば、入力情報を、画像情報を変換した文字情報より大きなフォントサイズで印刷するため、出品・展示する作品に不可欠な「被撮影画像の題名」等の入力情報を目立たせることができる。また、縮小画像、入力情報、文字情報の順に、各印刷領域を横並びに配置するため、作品に対してラベルサイズが大きい場合や被撮影画像との対応付けに用いる縮小画像が不要となった場合に、ラベルの片側に配置された縮小画像の印刷領域をカットするなどの加工が可能となる。
【００１５】
上記の印刷画像生成装置において、ラベル用の印刷媒体は、テープ状媒体であり、印刷画像をプレビュー表示するプレビュー表示部をさらに備え、プレビュー表示部は、テープ状媒体に印刷された印刷画像の印刷イメージと、当該印刷イメージのテープ長方向の長さを示す目盛りと、を表示することを特徴とする。
【００１６】
本発明の構成によれば、印刷媒体としてテープ状媒体を用いるため、入力情報や文字情報の文字数に応じて適宜テープ長を可変できる。つまり、文字数が多い場合でも、フォントサイズを小さくしたり改行幅を狭くしたりする必要がないため、ラベルの見栄えを損ねることがない。また、プレビュー表示部では、印刷イメージのテープ長方向の長さを示す目盛りを表示するため、ユーザーは、印刷前にラベル長を把握することができる。これにより、作成したラベルが長すぎて作品に貼付できないなどの不具合がなく、その結果印刷媒体を無駄にすることもない。
【００１７】
上記の印刷画像生成装置において、入力部は、入力情報として、被撮影画像の題名の他、撮影者およびレンズ名を入力することを特徴とする。
【００１８】
本発明の構成によれば、入力情報として出品・展示する作品に不可欠な「撮影者」を入力できるため、画像情報に「アーティスト（Ｅｘｉｆで規定されたタグ名）」、「撮影著作権者（Ｅｘｉｆで規定されたタグ名）」、「編集著作権者（Ｅｘｉｆで規定されたタグ名）」が含まれない場合でも、作品貼付用として不足のないラベルを作成できる。また、「レンズ名」は、メーカによって画像情報（「レンズのモデル名（Ｅｘｉｆで規定されたタグ名）」）にレンズ名を含めない場合があるため、そのようなメーカの画像入力機器を用いた場合でも、確実にレンズ名をラベルに印刷することができる。
【００１９】
上記の印刷画像生成装置において、画像情報は、アーティスト、撮影著作権者、編集著作権者のいずれかを含み、入力部は、画像情報に、アーティスト、撮影著作権者、編集著作権者のいずれかが含まれる場合、撮影者の入力に代えて、画像情報に含まれるアーティスト、撮影著作権者、編集著作権者のいずれかを選択できることを特徴とする。
【００２０】
本発明の構成によれば、画像情報に含まれる情報が「撮影者」に適用できる場合、ユーザーは「撮影者」の入力を省略することができる。
なお、画像情報に「アーティスト（Ｅｘｉｆで規定されたタグ名）」、「撮影著作権者（Ｅｘｉｆで規定されたタグ名）」、「編集著作権者（Ｅｘｉｆで規定されたタグ名）」のいずれか２以上が含まれる場合は、その中から１の項目を選択可能とすることが好ましい。
【００２１】
上記の印刷画像生成装置において、画像情報は、機材に関する項目および露出に関する項目を含む複数の項目を含み、複数の項目の中からいずれかの項目を選択する項目選択部をさらに備え、変換部は、項目選択部によって選択された項目を、文字情報に変換することを特徴とする。
【００２２】
本発明の構成によれば、画像情報に含まれる複数の項目の中から、ユーザーが必要な情報を選択してラベルに印刷することができる。
なお、「機材に関する項目」は、「画像入力機器のメーカ名」、「画像入力機器のモデル名」、「レンズの仕様情報」、「レンズのメーカ名」、「レンズのモデル名」、「レンズシリアル番号」などを含む（いずれもＥｘｉｆで規定されたタグ名）。
また、「露出に関する項目」は、「Ｆナンバー」、「露出時間」、「露出プログラム」、「撮影感度」、「露光補正値」、「測光方式」などを含む（いずれもＥｘｉｆで規定されたタグ名）。
【００２３】
上記の印刷画像生成装置において、画像情報は、被撮影画像を撮影した画像入力機器のモデル名を含み、印刷画像生成部は、文字情報の中の画像入力機器のモデル名にメーカ名が含まれる場合、当該メーカ名を省略して印刷画像を生成することを特徴とする。
【００２４】
本発明の構成によれば、画像情報に、「画像入力機器のメーカ名（Ｅｘｉｆで規定されたタグ名）」および「画像入力機器のモデル名（Ｅｘｉｆで規定されたタグ名）」が含まれる場合であって、「画像入力機器のモデル名（Ｅｘｉｆで規定されたタグ名）」を示す文字情報にメーカ名を示す文字列が含まれる場合に、メーカ名が重複して印刷されることを防止できる。
【００２５】
上記の印刷画像生成装置において、画像情報は、レンズのモデル名を含み、印刷画像生成部は、文字情報の中のレンズのモデル名にメーカ名が含まれる場合、当該メーカ名を省略して印刷画像を生成することを特徴とする。
【００２６】
本発明の構成によれば、画像情報に、「レンズのメーカ名（Ｅｘｉｆで規定されたタグ名）」および「レンズのモデル名（Ｅｘｉｆで規定されたタグ名）」が含まれる場合であって、「レンズのモデル名（Ｅｘｉｆで規定されたタグ名）」を示す文字情報にメーカ名を示す文字列が含まれる場合に、メーカ名が重複して印刷されることを防止できる。
【００２７】
上記の印刷画像生成装置において、画像情報は、Ｆナンバーまたはレンズ焦点距離を含み、変換部は、文字情報への変換時に、分数表記のＦナンバーまたはレンズ焦点距離を小数点表記に変換することを特徴とする。
【００２８】
本発明の構成によれば、Ｅｘｉｆで規定される分数表記の「Ｆナンバー」や「レンズ焦点距離」を、分かり易い小数点表記で示すことができる。
【００２９】
上記の印刷画像生成装置において、画像情報は、露出時間を含み、変換部は、文字情報への変換時に、露出時間が１秒以上の場合は小数点表記に変換し、露出時間が１秒未満の場合は約分した真分数表記に変換することを特徴とする。
【００３０】
本発明の構成によれば、Ｅｘｉｆで規定される「露出時間」を、１秒以上か否かに応じて、分かり易く示すことができる。
【００３１】
上記の印刷画像生成装置において、画像情報は、露光補正値を含み、変換部は、文字情報への変換時に、露光補正値の絶対値が１以上の場合は帯分数表記に変換し、露光補正値の絶対値が１未満の場合は約分した真分数表記に変換することを特徴とする。
【００３２】
本発明の構成によれば、Ｅｘｉｆで規定される「露光補正値」を、露光補正値の絶対値が１以上か否かに応じて、分かり易く示すことができる。
【００３３】
本発明の印刷システムは、印刷画像生成装置およびプリンタを備えた印刷システムであって、印刷画像生成装置は、被撮影画像の撮影時に当該被撮影画像の画像データと共に記録される画像情報を文字情報に変換する変換部と、被撮影画像の題名を含む入力情報を入力する入力部と、変換部によって変換された文字情報および、入力部によって入力された入力情報を、ラベル用の印刷媒体に印刷するための印刷画像を生成する印刷画像生成部と、プリンタに対し、印刷画像の印刷指示を行う印刷指示部と、を有し、プリンタは、印刷指示部による印刷指示にしたがって、印刷画像を印刷媒体に印刷する印刷部を有することを特徴とする。
【００３４】
本発明の構成によれば、画像情報を変換した文字情報および、被撮影画像の題名を含む入力情報をラベル用の印刷媒体に印刷するため、出品・展示する作品に貼付するラベルを容易且つ安価に作成することができる。また、入力情報として出品・展示する作品に不可欠な「被撮影画像の題名」を入力できるため、画像情報に「画像タイトル（Ｅｘｉｆで規定されたタグ名）」が含まれない場合でも、作品貼付用として不足のないラベルを作成することができる。
【００３５】
本発明のプログラムは、コンピューターに、上記の印刷画像生成方法における各ステップを実行させることを特徴とする。
【００３６】
このプログラムを用いることにより、作品として出品・展示する被撮影画像に付加すべき情報を、容易且つ安価に、また作品を損ねることなく印刷可能な印刷画像生成方法を実現できる。
【図面の簡単な説明】
【００３７】
【図１】本発明の一実施形態に係る印刷システムのシステム構成を示すブロック図である。
【図２】印刷システムの機能構成を示すブロック図である。
【図３】作品貼付ラベルの一例を示す平面図である。
【図４】第１編集画面の表示例を示す図である。
【図５】第２編集画面の表示例を示す図である。
【図６】第１編集画面においてレンズ入力欄のプルダウンメニューを開いた状態の表示例を示す図である。
【図７】変形例１に係る第１編集画面の表示例を示す図である。
【図８】変形例２に係る編集画面の表示例を示す図である。
【図９】変形例３に係る作品貼付ラベルの一例を示す平面図である。
【発明を実施するための形態】
【００３８】
以下、本発明の一実施形態に係る印刷画像生成装置、印刷システム、印刷画像生成方法およびプログラムについて、添付図面を参照しながら詳細に説明する。本実施形態では、印刷画像生成装置を、ＰＣ（Personal  Computer）に適用した場合について例示する。
【００３９】
図１は、本発明の一実施形態に係る印刷システムＳＹのシステム構成を示すブロック図である。印刷システムＳＹは、印刷画像を生成するＰＣ１と、ＰＣ１によって生成された印刷画像を印刷するテーププリンタ２と、を備える。
【００４０】
ＰＣ１は、制御部１１、キーボード１２、マウス１３、表示画面１４、記憶部１５および通信インターフェース（以下、「通信Ｉ／Ｆ」と表記する）１６を備え、これらはバス１７を介して接続される。
【００４１】
制御部１１は、ＣＰＵ（Central  Processing  Unit）、ＲＯＭ（Read  Only  Memory）およびＲＡＭ（Random  Access  Memory）等を含み、ＰＣ１の全体を制御する。キーボード１２およびマウス１３は、ユーザーによる情報入力をはじめ各種操作に用いられる。表示画面１４は、後述する編集画面Ｄ（Ｄ１，Ｄ２、図４〜図６参照）をはじめ各種情報を表示する。
【００４２】
記憶部１５は、ＨＤＤ（Hard  disk  drive）などの不揮発性記憶装置であり、各種制御プログラムおよび各種制御データを記憶する。本実施形態のＰＣ１は、制御プログラムとして、ラベル印刷アプリケーション（請求項における「プログラム」）およびプリンタドライバーを記憶する。ラベル印刷アプリケーションは、作品貼付ラベルＬ（図３等参照）を印刷するためのアプリケーション・ソフトウェアである。この作品貼付ラベルＬは、被撮影画像（デジタルカメラ等で撮影したデジタル写真）を、作品としてコンテストや展覧会に出品・展示したり作品を整理・管理したりするために、作品の裏面に貼付されるものである。また、プリンタドライバーは、テーププリンタ２を制御するためのデバイスドライバーである。
【００４３】
通信Ｉ／Ｆ１６は、テーププリンタ２と通信を行うためのインターフェースである。通信方法は、有線・無線を問わない。また、接続形態も、ネットワークを介して接続されても良いしケーブル等の１対１接続であっても良い。
【００４４】
一方、テーププリンタ２は、制御部２１、記憶部２２、通信Ｉ／Ｆ２３、印刷ヘッド２４、搬送機構２５および切断機構２６を備え、これらはバス２７を介して接続される。
【００４５】
制御部２１は、ＣＰＵ、ＲＡＭおよびバッファー等を含み、テーププリンタ２の全体を制御する。記憶部２２は、ファームウェアをはじめとする各種制御プログラムおよび制御データを記憶する。通信Ｉ／Ｆ２３は、ＰＣ１と通信を行う。
【００４６】
印刷ヘッド２４は、テープ状（長尺状）の印刷媒体である印刷テープ３１に印刷を行う。また、本実施形態のテーププリンタ２には、印刷テープ３１、インクリボン３２およびプラテンローラー３３を収容するテープカートリッジＣが供給されている。印刷テープ３１は、裏面に粘着剤層が形成された記録テープと、粘着剤層により記録テープに貼り付けられた剥離テープと、から成り、ロール状に巻回されたテープリールとして、テープカートリッジＣ内に収容されている。また、インクリボン３２は、印刷テープ３１と同じ幅で構成され、ロール状に巻回されたリボンリールとして、テープカートリッジＣ内に収容されている。なお、特に図示しないが、テープカートリッジＣが装着されるカートリッジ装着部には、カートリッジ種別を検出するための検出部が設けられている。当該検出部によって、印刷テープ３１のテープ幅、テープ色、材質等を検出可能である。
【００４７】
搬送機構２５は、テープリールから繰り出された印刷テープ３１を、印刷位置（印刷ヘッド２４およびプラテンローラー３３が対峙する位置）およびテープ排出口に向けて搬送する。また、切断機構２６は、テープ排出口付近に臨み、印刷済みの印刷テープ３１をテープ幅方向に切断する。
【００４８】
上記の構成により、テーププリンタ２は、テープカートリッジＣがカートリッジ装着部に装着されると、印刷ヘッド２４が印刷テープ３１およびインクリボン３２を挟み込んでプラテンローラー３３に当接し、印刷が可能となる。その後、ＰＣ１からの印刷指示にしたがって、搬送機構２５によりテープカートリッジＣから印刷テープ３１を繰り出し、印刷ヘッド２４の発熱素子を選択的に発熱させることにより印刷テープ３１の記録テープに印刷を行う。印刷実行中は、搬送機構２５により印刷テープ３１の印刷済み部分を、随時テープ排出口から筐体外部に送り出し、印刷を完了すると、テープ長に到達する位置まで後ろ余白分の送りを行った後、一旦送りを停止し、切断機構２６によって印刷テープ３１を切断する。なお、以下の説明では、印刷済み且つ切断済みの印刷テープ３１をラベル（作品貼付ラベルＬ）と称する。
【００４９】
次に、図２を参照し、印刷システムＳＹの機能構成について説明する。ＰＣ１は機能構成として、取得部１１０、項目選択部１２０、入力部１３０、変換部１４０、印刷画像生成部１５０、プレビュー表示部１６０および印刷指示部１７０を備える。なお、これらのうち、印刷指示部１７０は、プリンタドライバーの機能であり、それ以外はラベル印刷アプリケーションの機能である。また、ラベル印刷アプリケーションの機能のうち、項目選択部１２０、入力部１３０およびプレビュー表示部１６０は、主に編集画面Ｄによって実現される機能である。
【００５０】
取得部１１０は、画像入力機器による被撮影画像の撮影時に記録される被撮影画像の画像データと、そのメタデータである画像情報と、を取得する。ここで、「画像入力機器」とは、デジタルスチルカメラ、デジタルビデオカメラ、カメラ付き携帯電話、カメラ付きタブレット端末（例えばスマートフォン）などを指す。また、「被撮影画像」とは、一般社団法人カメラ映像機器工業会（ＣＩＰＡ）および社団法人電子情報技術産業協会（ＪＥＩＴＡ）により共同で策定されたデジタルスチルカメラ用画像ファイルフォーマット規格（Ｅｘｉｆ）により規定されるところの「主画像」を指す。
【００５１】
また、「画像情報」とは、同じくＥｘｉｆにより規定されるところの「タグ」の集合体および「サムネイルデータ」を指す。本実施形態において、「画像情報」は、機材に関する項目および露出に関する項目を含む複数の項目（複数のタグ）を含む。ここで、「機材に関する項目」は、「画像入力機器のメーカ名」、「画像入力機器のモデル名」、「レンズの仕様情報」、「レンズのメーカ名」、「レンズのモデル名」、「レンズシリアル番号」などを含む（いずれもＥｘｉｆで規定されたタグ名）。また、「露出に関する項目」は、「Ｆナンバー」、「露出時間」、「露出プログラム」、「撮影感度」、「露光補正値」、「測光方式」などを含む（いずれもＥｘｉｆで規定されたタグ名）。その他、「画像情報」として、上記した項目以外のＥｘｉｆで規定される各種タグを含めても良い。
【００５２】
なお、取得部１１０による画像データおよび画像情報の取得は、画像入力機器から有線・無線通信を介して取得しても良いし、画像入力機器以外の記憶装置（例えばインターネット上のＷｅｂサーバ）から有線・無線通信を介して取得しても良いし、各種メモリを介して取得しても良い。
【００５３】
項目選択部１２０は、「画像情報」に含まれる複数の項目の中からいずれかの項目を選択する。本実施形態では、第２編集画面Ｄ２（図５参照）において、作品貼付ラベルＬへの印刷対象となる項目（タグ名）を選択する。
【００５４】
入力部１３０は、作品の題名（被撮影画像の題名）、撮影者、レンズ名およびフォント種類を含む入力情報を入力する。本実施形態では、第１編集画面Ｄ１（図４参照）において、レンズ名および作品の題名が入力され、第２編集画面Ｄ２（図５参照）において、フォント種類および撮影者が入力される。ここで、「入力」とは、キーボード１２を用いて文字を入力することだけでなく、複数の選択候補の中からいずれかの候補を選択して入力することも含む概念である。
【００５５】
変換部１４０は、Ｅｘｉｆの規格に基づいて、取得部１１０によって取得された画像情報のうち項目選択部１２０によって選択された項目を文字情報に変換する。このとき、変換部１４０は、Ｅｘｉｆの規格では分数表記となっている「Ｆナンバー（Ｅｘｉｆで規定されたタグ名）」および「レンズ焦点距離（Ｅｘｉｆで規定されたタグ名）」を小数点表記に変換する。また、「露出時間（Ｅｘｉｆで規定されたタグ名）」については、１秒以上の場合は小数点表記に変換し、１秒未満の場合は約分した真分数表記に変換する。さらに、「露光補正値（Ｅｘｉｆで規定されたタグ名）」については、その絶対値が１以上の場合は帯分数表記に変換し、１未満の場合は約分した真分数表記に変換する。これらの構成により、Ｅｘｉｆの規定では分かりづらいこれらの項目を、ユーザーに分かり易く示すことができる。なお、変換アルゴリズムについては、ユークリッド互除法を用いるなど既知のアルゴリズムを適用可能である。
【００５６】
印刷画像生成部１５０は、変換部１４０によって変換された文字情報および、入力部１３０によって入力された入力情報を、印刷テープ３１（ラベル用の印刷媒体）に印刷するための印刷画像を生成する。また、印刷画像生成部１５０は、印刷テープ３１のテープ幅に合わせて被撮影画像の画像データを縮小することにより縮小画像を生成し、これを含めて印刷画像を生成する。
【００５７】
また、印刷画像生成部１５０は、変換部１４０によって変換された文字情報の中の「画像入力機器のモデル名」にメーカ名を示す文字列が含まれる場合、当該メーカ名を示す文字列を省略して印刷画像を生成する。同様に、印刷画像生成部１５０は、変換部１４０によって変換された文字情報の中の「レンズのモデル名」にメーカ名を示す文字列が含まれる場合、当該メーカ名を示す文字列を省略して印刷画像を生成する。これらの構成により、作品貼付ラベルＬに「画像入力機器またはレンズのメーカ名（Ｅｘｉｆで規定されたタグ名）と「画像入力機器またはレンズのモデル名（Ｅｘｉｆで規定されたタグ名）」を併記したときに、メーカ名が重複して印刷されることを防止できる。
【００５８】
なお、このようなメーカ名の省略は、項目選択部１２０によって「画像入力機器のメーカ名（Ｅｘｉｆで規定されたタグ名）および「画像入力機器のモデル名（Ｅｘｉｆで規定されたタグ名）」の両方が選択された場合若しくは、「レンズのメーカ名（Ｅｘｉｆで規定されたタグ名）および「レンズのモデル名（Ｅｘｉｆで規定されたタグ名）」の両方が選択された場合に限り行っても良い。
【００５９】
更に、印刷画像生成部１５０は、変換部１４０によって変換された文字情報の中の「露出モード」が露出マニュアルで、且つ「露出プログラム」がマニュアルである場合、「露出プログラム」の文字列を省略して印刷画像を生成する。この構成により、作品貼付ラベルＬに「露出モード」と「露出プログラム」を併記し、マニュアル撮影であったとき、マニュアル撮影の項目が重複して印刷されることを防止できる。
【００６０】
プレビュー表示部１６０は、印刷画像生成部１５０によって生成された印刷画像を、その印刷媒体となる印刷テープ３１のテープイメージと共にプレビュー表示する（作品貼付ラベルＬの印刷イメージを表示する，図４参照）。また、プレビュー表示部１６０は、当該テープイメージのテープ長方向の長さを示す目盛りを表示する。この構成により、ユーザーは、印刷前に作品貼付ラベルＬのラベル長を把握することができ、作成した作品貼付ラベルＬが長すぎて作品に貼付できないなどの不具合を解消できる。
【００６１】
印刷指示部１７０は、テーププリンタ２に対し、印刷画像生成部１５０によって生成された印刷画像の印刷指示を行う。具体的には、テーププリンタ２が解釈可能な印刷コマンド（切断コマンドを含む）を生成し、テーププリンタ２に送信する。
【００６２】
なお、印刷指示部１７０は、印刷コマンドを生成するのではなく、ＸＭＬ（Extensible  Markup  Language）言語などのマークアップ言語で記述した印刷命令を送信しても良い（但し、テーププリンタ２がマークアップ言語を解釈できることが前提）。この場合、ドライバーレスの構成とすることができる。
【００６３】
一方、テーププリンタ２は、機能構成として印刷部２１０を備える。印刷部２１０は、印刷指示部１７０による印刷指示にしたがって印刷テープ３１に印刷画像を印刷し印刷テープ３１を切断することにより作品貼付ラベルＬを作成する。
【００６４】
次に、図３を参照し、作品貼付ラベルＬの印刷フォーマットおよび印刷項目について説明する。印刷画像生成部１５０は、画像データを縮小した縮小画像、入力部１３０によって入力された入力情報および変換部１４０によって変換された文字情報を、所定の印刷フォーマットにしたがって配置・表記する。具体的には、印刷テープ３１の先端から（図示左側から）、縮小画像の印刷領域４１、入力情報の印刷領域４２、文字情報の印刷領域４３の順に横並びに配置する。また、入力情報を文字情報より大きなフォントサイズとする。また、入力情報の中では、作品の題名を、撮影者名より大きなフォントサイズとする。また、文字情報の中では、全ての項目を同一のフォントサイズとする。
【００６５】
また、入力情報の印刷領域４２および文字情報の印刷領域４３では、印刷テープ３１のテープ長方向（長手方向）が行方向となるように、文字を配置する。また、入力情報の印刷領域４２では、作品の題名と撮影者名を各１行で配置する。したがって、作品の題名または撮影者名の文字数が大きい場合、その分入力情報の印刷領域４２がテープ長方向に広がる。また、いずれの項目も、タグ名よりタグ内容のフォントサイズを大きくする。
【００６６】
また、文字情報の印刷領域４３では、第２編集画面Ｄ２で選択された複数の項目について、タグ名とそのタグ内容が「コロン（：）」を挟んで表記される。但し、「ファイル名（********.jpeg）」、「原画像データの生成日時（2014:07:31:14:45:59）」など予め定められた一部の項目については、タグ名の記載を省略している。また、同図の例では、印刷領域４３を４行構成としているが、選択された項目数に応じて、行数を変化させても良い。また、行数の変化に伴って、フォントサイズを大きくしても良い。また、複数行のうち最長の行に合わせて、他の行の項目間の間隔（余白）を広くすることで、テープ長方向に均等配置しても良い。
【００６７】
また、本実施形態では、印刷テープ３１のテープ幅を固定幅としている。このため、ラベル印刷アプリケーションから印刷指示を行った時点で、テーププリンタ２に装着されたテープカートリッジＣのテープ幅が固定幅と一致しない場合、ラベル印刷アプリケーションは、テープカートリッジＣの交換を促すエラーメッセージを表示画面１４に表示する。なお、エラーメッセージは、固定幅よりもテープ幅が狭い場合のみ表示し、固定幅よりもテープ幅が広い場合は表示しない構成としても良い。この場合、テープ幅に合わせて印刷画像を拡大印刷しても良いし、固定幅の印刷テープ３１に印刷する場合と同様の画像サイズで、テープ幅方向中央寄せの配置で印刷しても良い。
【００６８】
次に、図４〜図６を参照し、編集画面Ｄの表示フォーマットおよび表示項目について説明する。編集画面Ｄは、第１編集画面Ｄ１と第２編集画面Ｄ２を備える。このうち第１編集画面Ｄ１は、ラベル印刷アプリケーションの起動によって開かれるメイン画面であり、第２編集画面Ｄ２は第１編集画面Ｄ１から呼び出される（開かれる）サブ画面である。
【００６９】
図４に示すように、第１編集画面Ｄ１は、プレビュー表示領域５１と、入力領域５２と、から成る。プレビュー表示領域５１では、作品貼付ラベルＬの印刷イメージ６１（印刷テープ３１に印刷された印刷画像の印刷イメージ）と、実際に作成される作品貼付ラベルＬのテープ長を示す目盛り６２と、印刷イメージ６１をスクロール表示するためのスクロールバー６３と、を表示する。同図の例では、目盛り６２をｍｍ単位で表示しているが、ｉｎｃｈなど他の単位に切り替え可能としても良い。
【００７０】
また、入力領域５２では、レンズ入力欄６４と、題名入力欄６５と、ヘルプボタン６６と、印刷実行ボタン６７と、を表示する。レンズ入力欄６４では、プルダウンボタンが押下されると、図６に示すようなプルダウンメニュー６４ａを表示する。このプルダウンメニュー６４ａの中から「新規レンズモデル名」が選択されると、キーボード１２による文字入力が可能となり、入力された文字列を印刷イメージ６１の「レンズのモデル名」に反映する。また、「Ｅｘｉｆ」が選択されると、画像情報に含まれる「レンズのモデル名（Ｅｘｉｆで規定されたタグ名）」を、印刷イメージ６１の「レンズのモデル名」に反映する。さらに、予めラベル印刷アプリケーションに記憶されている複数のレンズモデル名（同図では、「レンズモデル名１」，「レンズモデル名２」など）の候補の中からいずれか１を選択して印刷イメージ６１の「レンズのモデル名」に反映することも可能である。なお、「新規レンズモデル名」が選択され、文字入力された場合は、その入力結果を記憶し、次回以降第１編集画面Ｄ１が開かれたときにレンズモデル名の候補として表示しても良い。
【００７１】
題名入力欄６５では、キーボード１２による文字入力が可能であり、入力された文字列を印刷イメージ６１の「題名」に反映する。なお、題名入力欄６５に入力可能な文字数に、制限を設けても良い。また、ヘルプボタン６６が押下されると、ヘルプ画面を表示する（図示省略）。また、印刷実行ボタン６７が押下されると、ラベル印刷アプリケーションは、その時点でプレビュー表示領域５１に表示されている印刷イメージ６１と同様の印刷画像をプリンタドライバーに出力する。
【００７２】
一方、第２編集画面Ｄ２は、図５に示すように、項目選択領域５３と、入力領域５４と、から成る。項目選択領域５３では、画像情報に含まれる複数の項目について、印刷するか否かの選択が可能となっている。なお、同図の例では、チェックマークがついた項目が印刷対象となることを意味している。つまり、同図のように、「撮影著作権者/編集著作権者」以外の項目にチェックマークがつけられた場合は、項目選択領域５３に表示された項目のうち「撮影著作権者/編集著作権者」以外の項目が印刷された作品貼付ラベルＬ（図３参照）が印刷される。なお、項目選択領域５３の選択結果は記憶され、特に変更がない場合（第２編集画面Ｄ２が開かれなかった場合）は、前回の選択結果が用いられる。また、項目選択領域５３に表示する項目名を、他の環境設定画面等において変更可能としても良い。また、項目選択領域５３において、文字情報の印刷領域４３における各項目の印刷順序または印刷行を指定可能としても良い。
【００７３】
また、入力領域５４では、字体入力欄７１と、字体スタイル入力欄７２と、撮影者入力欄７３と、キャンセルボタン７４と、ＯＫボタン７５と、を表示する。字体入力欄７１では、レンズ入力欄６４と同様に、プルダウンボタンの押下によりプルダウンメニューを表示する（図示書略）。字体入力欄７１では、字体（書体）が選択される。また、字体スタイル入力欄７２も、プルダウンボタンの押下によりプルダウンメニューを表示する（図示書略）。字体スタイル入力欄７２では、ウエイト、傾斜、文字幅などの字体スタイルが選択される。なお、字体入力欄７１および字体スタイル入力欄７２の入力結果は、入力情報の印刷領域４２および文字情報の印刷領域４３に印刷される全てのフォントに反映される。
【００７４】
また、撮影者入力欄７３でも、プルダウンボタンの押下によりプルダウンメニューを表示し（図示省略）、レンズ入力欄６４と同様に、「新規撮影者」が選択されると、キーボード１２による文字入力が可能となる。また、「Ｅｘｉｆ」が選択されると、画像情報に含まれる「アーティスト（Ｅｘｉｆで規定されたタグ名）」または「撮影著作権者／編集著作権者（Ｅｘｉｆで規定されたタグ名）」を、「撮影者」に反映する。なお、画像情報に「アーティスト（Ｅｘｉｆで規定されたタグ名）」および「撮影著作権者／編集著作権者（Ｅｘｉｆで規定されたタグ名）」の両方が含まれ且つ異なる名前の場合は、いずれを反映するかの選択画面を表示するか、プルダウンメニューの中に「Ｅｘｉｆ（アーティスト）」および「Ｅｘｉｆ（撮影著作権者／編集著作権者）」の候補を設ける。
【００７５】
また、キャンセルボタン７４が押下されると、第２編集画面Ｄ２における編集内容を全て無効とする。また、ＯＫボタン７５が押下されると、第２編集画面Ｄ２を閉じ、第２編集画面Ｄ２における編集内容を印刷画像および印刷イメージ６１に反映する。
【００７６】
以上説明したとおり、本実施形態によれば、画像情報（Ｅｘｉｆ情報）を変換した文字情報や作品の題名などの入力情報を印刷テープ３１に印刷するため、出品・展示するための作品に貼付する作品貼付ラベルＬを容易且つ安価に作成することができる。つまり、作品に付加すべき情報を作品とは別の印刷媒体に印刷するため、作品用の高価な印刷用紙を無駄にすることがなく、作品を損ねる心配もない。また、印刷テープ３１は厚みがない（出品・展示用の印刷用紙は厚手のものが多いが、それと比較するとかなり薄手である）ため、作品の裏面に貼り付けて額装する際に、枠の種類を選ばないといった利点もある。
【００７７】
また、入力情報として、出品・展示する作品に不可欠な「被撮影画像の題名」や「撮影者名」を入力できるため、画像情報に「画像タイトル（Ｅｘｉｆで規定されたタグ名）」、「アーティスト（Ｅｘｉｆで規定されたタグ名）」、「撮影著作権者／編集著作権者（Ｅｘｉｆで規定されたタグ名）」などが含まれない場合でも、作品貼付用として不足のないラベルを作成することができる。さらに、入力情報としてレンズ名を入力できるため、「レンズのモデル名（Ｅｘｉｆで規定されたタグ名）」にレンズ名を含めないメーカの画像入力機器を用いた場合でも、レンズ名を確実に作品貼付ラベルＬに表記することができる。
【００７８】
また、第１編集画面Ｄ１のプレビュー表示領域５１には、印刷イメージのテープ長方向の長さを示す目盛り６２を表示するため、ユーザーは、印刷前にラベル長を把握することができる。これにより、作成したラベルが長すぎて作品に貼付できないなどの不具合がなく、その結果印刷媒体を無駄にすることもない。
【００７９】
また、作品貼付ラベルＬには、被撮影画像の縮小画像を印刷するため、被撮影画像（作品）と、作品貼付ラベルＬとの対応づけを容易に行うことができる。これにより、複数の作品について複数枚の作品貼付ラベルＬを同時に作成し、その後作品への貼付作業を行うなど、効率的な作業が可能となる。また、縮小画像を、画像情報に含まれる「サムネイルデータ」ではなく、被撮影画像そのものから生成するため、被撮影画像の画像データが編集されてしまった場合でも、作品と作品貼付ラベルＬとの対応づけを確実に行うことができる。
【００８０】
さらに、作品貼付ラベルＬは、縮小画像、入力情報、文字情報の順に、各印刷領域４１，４２，４３を横並びに配置するため、作品に対してラベルサイズが大きい場合や作品との対応付けが完了して縮小画像が不要となった場合などに縮小画像の印刷領域４１をカットしたり、入力情報の印刷領域４２のみを残す（縮小画像と文字情報の印刷領域４１，４３をカットする）などの加工が可能となる。また、印刷媒体として印刷テープ３１を用いるため、入力情報や文字情報の文字数に応じて適宜テープ長を可変できる。
【００８１】
なお、上記の実施形態にかかわらず、以下の変形例を採用可能である。以下の各変形例において、上記の実施形態と同様の構成部分については同様の符号を付し、詳細な説明を省略する。
【００８２】
［変形例１］
図７は、変形例１に係る第１編集画面Ｄ１ａの表示例を示す図である。本例に係る第１編集画面Ｄ１ａは、上記の実施形態に係る第１編集画面Ｄ１（図４参照）に、作品選択領域５５を追加した構成となっている。作品選択領域５５には、画像入力機器やメモリから取り込んだ複数の被撮影画像の一覧を表示する。また、その中から１の被撮影画像を選択して、プレビュー表示領域５１や入力領域５２を用いた編集が可能となっている。なお、取り込んだ被撮影画像数が多い場合は、スクロールバー７９の操作により作品選択領域５５のスクロール表示が可能である。同図では、２つの被撮影画像７７，７８が取り込まれ、このうち被撮影画像７７の編集が行われている状態を示している。このように、第１編集画面Ｄ１に作品選択領域５５を設けたことにより、被撮影画像ごとに第１編集画面Ｄ１を開く必要がないため、利便性が良い。
【００８３】
［変形例２］
図８は、変形例２に係る編集画面Ｄｂの表示例を示す図である。本例に係る編集画面Ｄｂは、第１編集画面Ｄ１（図４参照）と第２編集画面Ｄ２（図５参照）の一部を組み合わせた構成となっている。例えば、入力領域５２は、選択領域８１と入力領域８２から成り、選択領域８１には、レンズ入力欄６４および字体入力欄７１が含まれる。また、入力領域８２には、題名入力欄６５および撮影者入力欄７３が含まれる。このように、シンプルな編集画面Ｄｂとすることで、ユーザーによる編集の手間を軽減できる。なお、環境設定等により、上記の実施形態に示したような第１編集画面Ｄ１および第２編集画面Ｄ２を表示するか、変形例２に係る編集画面Ｄｂを表示するかについて、ユーザーが選択可能としても良い。さらに、変形例１に係る第１編集画面Ｄ１ａを加えて、ユーザーが選択可能としても良い。
【００８４】
［変形例３］
図９は、変形例３に係る作品貼付ラベルＬの一例を示す平面図である。本例に係る作品貼付ラベルＬは、上記の実施形態に係る作品貼付ラベルＬ（図３参照）と比較して、文字情報の印刷領域４３から項目名（タグ名）を削除した構成となっている。但し、タグ内容「Ｆナンバー」の前に「F/」を追記したり、タグ内容「ＩＳＯスピード」の前に「ISO」を追記したりなど、一目で分かりにくい項目については、最低限の追記を行っている。このように、項目名を削除することで印刷テープ３１を節約することができる。なお、環境設定等により、項目名を付加するか否かについて、ユーザーが選択可能としても良い。
【００８５】
［その他の変形例］
上記の実施形態の印刷画像生成部１５０は、縮小画像の印刷領域４１に印刷する縮小画像を、被撮影画像の画像データを縮小することにより生成したが、画像情報の中に含まれる「サムネイルデータ」を用いて縮小画像を生成しても良い。また、画像情報の中に「サムネイルデータ」が含まれる場合はこれを用い、「サムネイルデータ」が含まれない場合は、被撮影画像の画像データを用いて縮小画像を生成する構成としても良い。
【００８６】
また、上記の実施形態では、作品貼付ラベルＬを、被撮影画像（作品）とは別の印刷媒体に印刷したが、被撮影画像と共に同じ印刷媒体に印刷しても良い。この場合、被撮影画像の画像データを編集するための編集画面の一部に、上記の実施形態および各変形例に示した編集画面Ｄを組み込み、被撮影画像の印刷と作品貼付ラベルＬの印刷指示を、１回の印刷実行ボタンの押下により実現しても良い。また、作品貼付ラベルＬと被撮影画像を別の印刷媒体に印刷するが、印刷指示については、１回の印刷実行ボタンの押下で行い得る構成としても良い。この場合、ＰＣ１に２台のプリンタを接続し、被撮影画像の画像データを第１のプリンタに向けて出力し、作品貼付ラベルＬの印刷画像を第２のプリンタに向けて出力すれば良い。
【００８７】
また、上記の実施形態では、印刷テープ３１のテープ幅を固定幅としたが、複数種類のテープ幅に対応可能としても良い。この場合、テーププリンタ２によるテープ幅の検出結果に応じて、作品貼付ラベルＬの印刷フォーマット（入力情報の印刷領域４２や文字情報の印刷領域４３の行数など）、フォントサイズ、縮小画像の画像サイズ等を可変しても良い。
【００８８】
また、作品のサイズを入力または選択可能とし、そのサイズに合わせて作品貼付ラベルＬの印刷フォーマット、フォントサイズ、縮小画像の画像サイズ等を可変しても良い。この場合、作品貼付ラベルＬのテープ長が、ユーザーが入力した作品の横方向長さより短くなるように、印刷画像を編集することが好ましい。
【００８９】
また、印刷画像を編集するのではなく、入力情報や文字情報の文字数や、項目選択領域５３の選択結果に応じて、適切なテープ幅をユーザーに提示する構成としても良い。例えば、作品のサイズに対して印刷する情報量が多い場合は、幅広のテープ幅を推奨し、逆に情報量が少ない場合は、幅狭のテープ幅を推奨しても良い。
【００９０】
また、入力情報や文字情報の文字数や、項目選択領域５３の選択結果に応じて、複数枚の作品貼付ラベルＬを印刷する構成としても良い。つまり、情報量が多い場合は、印刷領域４１，４２を１枚目として印刷し、印刷領域４３を２枚目として印刷する、などが考えられる。
【００９１】
また、編集画面Ｄにおいて、作品貼付ラベルＬに印刷すべき情報（縮小画像、入力情報、文字情報のうち１以上）を、ユーザーが選択可能としても良い。また、各印刷領域４１，４２，４３の長さや印刷順序について、ユーザーが指定可能としても良い。また、項目選択領域５３で選択した各項目について、Ｅｘｉｆを用いるのではなく、ユーザーがキーボード１２により文字入力可能としても良い。
【００９２】
また、上記の実施形態では、印刷対象となる項目を、項目選択領域５３にて項目ごとに選択したが、Ｅｘｉｆにより規定されるタグ記載対応レベル（必須、推奨、オプション）ごとに選択を行っても良い。つまり、「必須」が選択された場合は、Ｅｘｉｆによりタグ記載対応レベルが「必須」と定められている項目のみを印刷する。
【００９３】
また、上記の実施形態では、テープカートリッジＣにより印刷テープ３１を供給したが、印刷テープ３１のみ（テープリールのみ）供給する構成としても良い。また、印刷方式も、感熱式ではなく、インクジェット方式など他の印刷方式を用いても良い。
【００９４】
また、上記の実施形態では、印刷媒体として印刷テープ３１を用いたが、ダイカット紙など、短冊状のラベル用紙に印刷を行っても良い。つまり、テーププリンタ２ではなく、ラベルプリンタを用いても良い。この場合は、ラベルサイズが決まっているため、入力情報や文字情報の文字数に応じてフォントサイズや改行幅を可変することが好ましい。また、印刷画像を編集するのではなく、項目選択領域５３で選択可能な項目数を制限したり入力情報として入力可能な文字数を制限したりしても良い。
【００９５】
また、上記の実施形態では、本発明の画像作成装置をＰＣ１に適用した場合を例示したが、スマートフォンなどの各種タブレット端末、携帯電話、ＰＤＡ（Personal  Digital  Assistants）などに適用しても良い。また、画像入力機器の一部として、本発明の画像作成装置を組み込んでも良い。
【００９６】
また、被撮影画像（作品）として写真を想定したが、本発明を映像作品に適用しても良い。つまり、映像作品を記録するための記録媒体（光ディスクなど）に貼付するラベルを作成しても良い。
【００９７】
また、上記に示した印刷システムＳＹ（ＰＣ１）の各構成要素をプログラムとして提供することが可能である。また、そのプログラムを各種記録媒体（ＣＤ−ＲＯＭ、フラッシュメモリ等）に格納して提供することも可能である。すなわち、コンピューターを印刷システムＳＹ（ＰＣ１）の各構成要素として機能させるためのプログラム、およびそれを記録した記録媒体も、本発明の権利範囲に含まれる。
【００９８】
また、上記の実施形態に示したラベル印刷アプリケーションを、ユーザー端末とネットワークで接続されたサーバー上で動作させても良い（クラウドコンピューティング技術を適用しても良い）。また、画像情報としてＥｘｉｆ情報を例示したが、Ｅｘｉｆ以外の規格を採用しても良い。その他、本発明の要旨を逸脱しない範囲で、適宜変更が可能である。
【符号の説明】
【００９９】
１：ＰＣ  ２：テーププリンタ  ３１：印刷テープ  ４１：縮小画像の印刷領域  ４２：入力情報の印刷領域  ４３：文字情報の印刷領域  ５１：プレビュー表示領域  ５２：入力領域（第１編集画面）  ５３：項目選択領域  ５４：入力領域（第２編集画面）  ５５：作品選択領域  ６１：印刷イメージ  ６２：目盛り  ６３：スクロールバー  ６４：レンズ入力欄  ６４ａ：プルダウンメニュー  ６５：題名入力欄  ７１：字体入力欄  ７２：字体スタイル入力欄  ７３：撮影者入力欄  ７７，７８：取り込まれた被撮影画像  ７９：スクロールバー  ８１：選択領域  ８２：入力領域（変形例２に係る編集画面）  １１０：取得部  １２０：項目選択部  １３０：入力部  １４０：変換部  １５０：印刷画像生成部  １６０：プレビュー表示部  １７０：印刷指示部  ２１０：印刷部  Ｃ：テープカートリッジ  Ｄ：編集画面  ＳＹ：印刷システム
【図１】
0006409430.tif 000002
【図２】
0006409430.tif 000003
【図３】
0006409430.tif 000004
【図４】
0006409430.tif 000005
【図５】
0006409430.tif 000006
【図６】
0006409430.tif 000007
【図７】
0006409430.tif 000008
【図８】
0006409430.tif 000009
【図９】
0006409430.tif 000010